(57)【要約】【課題】記録媒体、及び記録媒体に記録されている画像情報が他のユーザに取り扱われてしまうことを抑制可能な画像表示装置及びプロジェクタを提供する。【解決手段】リモコン２３には、ＤＶＤロックキーが備えられており、ユーザは、電源オン状態でＤＶＤロックキーを操作することにより、ＤＶＤロック状態とロック解除状態とを切り替えることができる。そして、ロック解除状態に設定された場合には、本体操作部２２及びリモコン２３に備わるＤＶＤ操作キーの操作（ＤＶＤ操作）は常に有効となり、ＤＶＤ再生部２７の動作が許可される。一方、ＤＶＤロック状態に設定された場合には、暗証番号によるユーザの認証が成立しない限り、すべてのＤＶＤ操作が無効となり、ＤＶＤ再生部２７の動作が禁止される。【選択図】図２
2010124093.tif 000002
【特許請求の範囲】
【請求項１】
画像表示装置であって、
装着された記録媒体に記録されている画像情報を再生する画像再生部と、
前記画像再生部が再生する前記画像情報に基づく画像を表示する画像表示部と、
入力操作を受け付ける入力操作部と、
前記入力操作部が受け付けた前記入力操作に基づいて、当該画像表示装置の動作を制御する制御部と、
ユーザの認証を行う認証部と、
を備え、
前記制御部は、前記認証部による認証が不成立の場合に、前記画像再生部の動作を制限することを特徴とする画像表示装置。
【請求項２】
請求項１に記載の画像表示装置であって、
前記画像再生部は、前記入力操作部が受け付けた前記入力操作に基づいて前記記録媒体を排出する記録媒体排出部を備え、
前記制御部は、前記認証部による認証が不成立の場合に、前記記録媒体排出部による前記記録媒体の排出を禁止することを特徴とする画像表示装置。
【請求項３】
請求項１又は２に記載の画像表示装置であって、
前記制御部は、前記認証部による認証が不成立の場合に、前記画像再生部による前記画像情報の再生を禁止することを特徴とする画像表示装置。
【請求項４】
請求項３に記載の画像表示装置であって、
外部の画像再生装置から画像情報が入力される画像情報入力部と、
前記記録媒体に記録されている画像情報、及び前記画像情報入力部に入力される画像情報を含む複数の画像情報の中から１つを選択する入力選択部と、
をさらに備え、
前記画像表示部は、前記入力選択部で選択された前記画像情報に基づく画像を表示し、
前記制御部は、前記認証部による認証が不成立の場合に、前記記録媒体に記録されている前記画像情報の再生を禁止する一方で、前記画像情報入力部に入力された前記画像情報に基づく画像の表示を許可することを特徴とする画像表示装置。
【請求項５】
プロジェクタであって、
装着された記録媒体に記録されている画像情報を再生する画像再生部と、
前記画像再生部が再生する前記画像情報に基づく画像を投写する画像投写部と、
入力操作を受け付ける入力操作部と、
前記入力操作部が受け付けた前記入力操作に基づいて、当該プロジェクタの動作を制御する制御部と、
ユーザの認証を行う認証部と、
を備え、
前記制御部は、前記認証部による認証が不成立の場合に、前記画像再生部の動作を制限することを特徴とするプロジェクタ。
【発明の詳細な説明】
【技術分野】
【０００１】
本発明は、記録媒体に記録されている画像情報を再生する画像再生部を備えた画像表示装置及びプロジェクタに関する。
【背景技術】
【０００２】
画像を表示する画像表示装置（例えば、プロジェクタ）において、ＤＶＤ等の記録媒体に記録されている画像情報を再生するための画像再生手段を一体的に備えたものが知られている（例えば、特許文献１参照）。このような画像表示装置を用いれば、外部の画像再生装置を接続する必要なく、記録媒体に記録されている画像情報に基づく画像を容易に鑑賞することが可能となる。
【０００３】
【特許文献１】特開２００５−９９６１７号公報
【発明の開示】
【発明が解決しようとする課題】
【０００４】
しかしながら、上記のような画像表示装置を複数のユーザで共用する場合に、画像再生手段に記録媒体を装着したまま放置してしまうと、他のユーザに記録媒体を取り出されたり、機密性の高い画像情報を再生されて見られてしまったりする恐れがある。また、店頭や展示会におけるデモンストレーション等のように、所定の画像情報を再生し続けている場合にも、他のユーザ（客等）によって再生を停止させられたり、記録媒体を取り出されてしまったりする恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、装着された記録媒体に記録されている画像情報を再生する画像再生部と、前記画像再生部が再生する前記画像情報に基づく画像を表示する画像表示部と、入力操作を受け付ける入力操作部と、前記入力操作部が受け付けた前記入力操作に基づいて、当該画像表示装置の動作を制御する制御部と、ユーザの認証を行う認証部と、を備え、前記制御部は、前記認証部による認証が不成立の場合に、前記画像再生部の動作を制限することを特徴とする。
【０００７】
この画像表示装置によれば、認証部による認証が不成立の場合に、制御部が画像再生部の動作を制限するため、記録媒体、及び記録媒体に記録されている画像情報が他のユーザに取り扱われてしまうことを抑制することが可能となる。
【０００８】
［適用例２］上記適用例に係る画像表示装置において、前記画像再生部は、前記入力操作部が受け付けた前記入力操作に基づいて前記記録媒体を排出する記録媒体排出部を備え、前記制御部は、前記認証部による認証が不成立の場合に、前記記録媒体排出部による前記記録媒体の排出を禁止することが望ましい。
【０００９】
この画像表示装置によれば、認証部による認証が不成立の場合に、制御部が記録媒体の排出を禁止するため、他のユーザによって記録媒体が取り出されてしまう事態を抑制することが可能となる。
【００１０】
［適用例３］上記適用例に係る画像表示装置において、前記制御部は、前記認証部による認証が不成立の場合に、前記画像再生部による前記画像情報の再生を禁止することが望ましい。
【００１１】
この画像表示装置によれば、認証部による認証が不成立の場合に、画像再生部による画像情報の再生を禁止するため、この画像情報に基づく画像が他のユーザに見られてしまう事態を抑制することが可能となる。
【００１２】
［適用例４］上記適用例に係る画像表示装置において、外部の画像再生装置から画像情報が入力される画像情報入力部と、前記記録媒体に記録されている画像情報、及び前記画像情報入力部に入力される画像情報を含む複数の画像情報の中から１つを選択する入力選択部と、をさらに備え、前記画像表示部は、前記入力選択部で選択された前記画像情報に基づく画像を表示し、前記制御部は、前記認証部による認証が不成立の場合に、前記記録媒体に記録されている前記画像情報の再生を禁止する一方で、前記画像情報入力部に入力された前記画像情報に基づく画像の表示を許可することが望ましい。
【００１３】
この画像表示装置によれば、認証部による認証が不成立の場合でも、画像情報入力部に入力された画像情報に基づく画像の表示が可能であるため、認証の成否に拘わらず、多くのユーザがプロジェクタを利用することが可能となり、利便性が向上する。
【００１４】
［適用例５］本適用例に係るプロジェクタは、装着された記録媒体に記録されている画像情報を再生する画像再生部と、前記画像再生部が再生する前記画像情報に基づく画像を投写する画像投写部と、入力操作を受け付ける入力操作部と、前記入力操作部が受け付けた前記入力操作に基づいて、当該プロジェクタの動作を制御する制御部と、ユーザの認証を行う認証部と、を備え、前記制御部は、前記認証部による認証が不成立の場合に、前記画像再生部の動作を制限することを特徴とする。
【００１５】
このプロジェクタによれば、認証部による認証が不成立の場合に、制御部が画像再生部の動作を制限するため、記録媒体、及び記録媒体に記録されている画像情報が他のユーザに取り扱われてしまうことを抑制することが可能となる。
【発明を実施するための最良の形態】
【００１６】
以下、画像表示装置の一つであるプロジェクタについて、図面を参照して説明する。本実施形態のプロジェクタは、ＤＶＤ（Digital Versatile Disc）を再生可能なＤＶＤ再生部を備えており、ＤＶＤメディアに記録されている画像情報に基づく画像を投写することができる。また、本実施形態のプロジェクタは、ＤＶＤロック機能を有しており、ＤＶＤ再生部の動作に関わる入力操作（以降、「ＤＶＤ操作」とも呼ぶ。）が無効となるＤＶＤロック状態と、ＤＶＤ操作が有効なロック解除状態とを切り替えることが可能になっている。
【００１７】
図１は、本実施形態のプロジェクタの斜視図であり、（ａ）は、前方より見た図、（ｂ）は、後方より見た図である。
図１（ａ）、（ｂ）に示すように、プロジェクタ１は、外装を構成する筐体２によって装置本体が覆われた構成を有している。筐体２の前面２ｆには、外部のスクリーン等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモコン２３から送信される操作信号を受信するための操作信号受信部２４が配置されている。
【００１８】
筐体２には、複数の操作キー（操作ボタン）を備えて構成される本体操作部２２が設けられており、プロジェクタ１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクタ１に対して各種指示を行うための複数の操作キーが備えられており、プロジェクタ１を遠隔操作することが可能になっている。
【００１９】
筐体２の背面２ｒには、電源が入力される電源端子４や、外部の画像出力装置Ｃ（図２参照）から画像情報が入力される入力端子２５等が配設されている。
【００２０】
図２は、プロジェクタの回路構成を示すブロック図である。
図２に示すように、プロジェクタ１は、画像投写部１０、制御部２０、記憶部２１、本体操作部２２、リモコン２３、操作信号受信部２４、入力端子２５、画像情報変換部２６、ＤＶＤ再生部２７、入力選択部３３、画像処理部３４、ＯＳＤ処理部３５、電源回路３６、光源制御部３７等を備えている。
【００２１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、画像表示部に相当するものであり、光源１１から射出された光を、液晶ライトバルブ１２Ｒ，１２Ｇ，１２Ｂで変調して画像（画像光）を形成し、この画像を投写レンズ１３から投写して外部のスクリーンＳＣ等に表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３から拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２５】
記憶部２１は、フラッシュメモリやＦｅＲＡＭ（Ferroelectric RAM：強誘電体メモリ）等、書き替え可能な不揮発性のメモリにより構成されている。記憶部２１には、プロジェクタ１の動作を制御するための制御プログラムや、プロジェクタ１の動作条件等を規定する各種設定データ等が記憶されている。本実施形態では、設定データとして、ＤＶＤ操作が有効か無効か、即ちＤＶＤロック状態かロック解除状態かを示すフラグ（ＤＶＤ操作フラグ）とともに、ＤＶＤロック状態からロック解除状態に切り替える際に参照される暗証番号が記憶されている。なお、ＤＶＤ操作フラグ及び暗証番号は、ユーザによって適宜設定可能になっており、その設定結果は、記憶部２１に反映される。
【００２６】
本体操作部２２及びリモコン２３は、上述したように複数の操作キーを備えており、ユーザからの入力操作（操作キーの操作）を受け付ける入力操作部に相当するものである。複数の操作キーには、上述したイジェクトキーの他に、電源のオンとオフとを切り替えるための電源キーや、ＤＶＤの再生を開始させるための再生キー、ＤＶＤの再生を停止させるための停止キー、画像情報の入力元（入力ソース）を切り替えるための入力切替キー等が含まれ、これらは、本体操作部２２及びリモコン２３の双方に備えられている。また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、ＤＶＤロック状態とロック解除状態とを切り替えるためのＤＶＤロックキー、暗証番号を入力するための数字キー（０〜９に対応する１０個の操作キー）等は、リモコン２３にのみ備えられている。ユーザが本体操作部２２の各種操作キーを操作すると、本体操作部２２は、ユーザの操作内容（操作された操作キー）に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２７】
なお、これ以降、イジェクトキー、再生キー、停止キー等、後述するＤＶＤ再生部２７の動作に関わる操作キーを「ＤＶＤ操作キー」とも呼ぶ。ＤＶＤ操作キーには、上記以外に、再生を静止（一時停止）させるための一時停止キー、早送り再生を行うための早送りキー、巻き戻し再生を行うための巻き戻しキー、再生するチャプタを変更するためのスキップキー等が含まれる。
【００２８】
入力端子２５には、パーソナルコンピュータやビデオ再生装置等、外部の画像出力装置Ｃから、各種形式の画像情報がケーブル（図示せず）を介して入力される。入力端子２５に入力された画像情報は、画像情報変換部２６に供給される。
【００２９】
画像情報変換部２６は、入力端子２５から入力された画像情報に対してＡ／Ｄ変換等の変換処理を行って、処理後の画像情報を入力選択部３３に出力する。
【００３０】
ＤＶＤ再生部２７は、記録媒体（ＤＶＤメディアＭ）に記録された画像情報を再生する画像再生部に相当するものであり、挿入センサ２８、メディア搬送部２９、装着センサ３０、データ読取部３１及びデータ処理部３２等を含んで構成されている。
【００３１】
挿入センサ２８は、ディスクスロット３の近傍に配置され、ＤＶＤメディアＭの一部がディスクスロット３に挿入されたことを検出して制御部２０に通知する。
【００３２】
メディア搬送部２９は、ＤＶＤメディアＭを搬送するための搬送ローラ、及び搬送ローラを回転駆動する駆動モータ（いずれも図示せず）等によって構成され、制御部２０の指示に基づいて、ＤＶＤ再生部２７内におけるＤＶＤメディアＭの搬送を行う。具体的には、ユーザがＤＶＤメディアＭの一部をディスクスロット３に挿入し、挿入センサ２８がこの挿入を検出すると、制御部２０は、メディア搬送部２９に指示をして、ＤＶＤメディアＭを内部に引き込んでターンテーブル（図示せず）上に装着させる。また、ユーザによりイジェクトキーが操作されると、制御部２０は、メディア搬送部２９に指示をして、ターンテーブルからＤＶＤメディアＭを離脱させ、ＤＶＤメディアＭをディスクスロット３から排出させる。
【００３３】
装着センサ３０は、ターンテーブルの近傍に配置され、ターンテーブルにＤＶＤメディアＭが装着されていることを検出して制御部２０に通知する。
【００３４】
データ読取部３１は、制御部２０の指示に基づいて、ターンテーブル上に装着されたＤＶＤメディアＭをスピンドルモータ（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部３１によって読み取られたデータストリームは、データ処理部３２に順次出力される。
【００３５】
データ処理部３２は、デマルチプレクサやデコーダ等で構成され、制御部２０の指示に基づいて、データ読取部３１から入力されるデータストリームを画像情報と音声情報とに分離する処理や、分離した画像情報及び音声情報をデコード（復号化）する処理等を行う。データ処理部３２は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤを再生する」と表記する。
【００３６】
制御部２０は、本体操作部２２又はリモコン２３が再生キーの操作を受け付けると、ＤＶＤ再生部２７に指示をして、画像情報の再生を開始させ、本体操作部２２又はリモコン２３が停止キーの操作を受け付けると、ＤＶＤ再生部２７に指示をして、画像情報の再生を停止させる。
【００３７】
挿入センサ２８及び装着センサ３０は、例えば、メカニカルスイッチ、光センサ、磁気センサ等の各種検出手段を用いて構成することができる。また、装着センサ３０に関しては、上記光ピックアップが受光する反射光の信号レベルによってＤＶＤメディアＭの装着の有無を検出する態様とすることも可能である。
【００３８】
入力選択部３３は、入力端子２５から画像情報変換部２６を経て入力される画像情報（外部入力画像情報）と、ＤＶＤ再生部２７から入力される画像情報（ＤＶＤ画像情報）のいずれか一方を、制御部２０の指示に基づいて選択し、選択した画像情報を画像処理部３４に出力する。ユーザが、本体操作部２２或いはリモコン２３に備わる入力切替キーを操作して所望の画像情報を指定すると、制御部２０は、指定された画像情報が画像処理部３４に出力されるよう、入力選択部３３に指示をする。つまり、入力選択部３３は、外部入力画像情報に基づく画像（外部入力画像）を投写（表示）する状態と、ＤＶＤ再生部２７によって再生されたＤＶＤ画像情報に基づく画像（ＤＶＤ画像）を投写（表示）する状態とを、ユーザの入力操作に応じて切り替えることができる。
【００３９】
画像処理部３４は、入力選択部３３から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００４０】
ＯＳＤ処理部３５は、制御部２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理部３５は、図示しないＯＳＤメモリを備えており、ＯＳＤ画像を形成するための図形やフォント等を表すＯＳＤ画像情報を記憶している。制御部２０が、ＯＳＤ画像の重畳表示を指示すると、ＯＳＤ処理部３５は、必要なＯＳＤ画像情報をＯＳＤメモリから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部３５は、画像処理部３４から入力される画像情報を、そのままライトバルブ駆動部１４に出力する。
【００４１】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００４２】
電源回路３６には、ＡＣ１００Ｖ等の商用電源が電源端子４（図１（ｂ）参照）を介して外部から供給される。電源回路３６は、商用電源（交流電源）を所定の電圧の直流電源に変換して、プロジェクタ１の各部に電力を供給する。また、電源回路３６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４３】
光源制御部３７は、制御部２０の指示に基づいて、光源１１に対する電力の供給と停止とを制御し、光源１１の点灯及び消灯を切り替える。
【００４４】
本実施形態のプロジェクタ１は、上記のように構成されているため、電源端子４に電源ケーブル（図示せず）が接続され、電源回路３６に商用電源が供給されると、電源回路３６は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。商用電源が供給された直後には、プロジェクタ１は、スタンバイ状態（「電源オフ状態」ともいう。）であり、光源１１を消灯させた状態を維持している。そして、本体操作部２２又はリモコン２３に備わる電源キーがユーザにより操作されると、制御部２０は、電源回路３６に指示をして、各部への動作電力の供給を開始させ、プロジェクタ１を電源オン状態に移行させる。
【００４５】
プロジェクタ１が電源オン状態に移行すると、制御部２０は、光源制御部３７に指示をして光源１１を点灯させる。そして、ユーザが画像出力装置Ｃとプロジェクタ１（入力端子２５）を接続して、画像出力装置Ｃからの画像情報の出力を開始させると、入力端子２５に外部入力画像情報が入力される。そして、ユーザが必要に応じて入力切替キーを操作して外部入力画像情報を指定すると、画像投写部１０から外部入力画像が投写される。一方、ユーザがＤＶＤメディアＭをディスクスロット３に挿入して再生キーを操作し、必要に応じて入力切替キーを操作してＤＶＤ画像情報を指定すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００４６】
電源オン状態でユーザにより電源キーが操作されると、制御部２０は、光源制御部３７に光源１１を消灯させ、プロジェクタ１をスタンバイ状態に移行させる。なお、これ以降、プロジェクタ１を電源オン状態にするための電源キーの操作を「オン操作」とも呼び、プロジェクタ１をスタンバイ状態にするための電源キーの操作を「オフ操作」とも呼ぶ。
【００４７】
次に、ＤＶＤロック機能について説明する。
上述したように、リモコン２３には、ＤＶＤロックキーが備えられており、ユーザは、電源オン状態でＤＶＤロックキーを操作することにより、ＤＶＤロック状態とロック解除状態とを切り替えることができる。そして、ロック解除状態に設定された場合には、本体操作部２２及びリモコン２３に備わるＤＶＤ操作キーの操作（ＤＶＤ操作）は常に有効となり、ＤＶＤ再生部２７の動作が許可される。一方、ＤＶＤロック状態に設定された場合には、暗証番号によるユーザの認証が成立しない限り、すべてのＤＶＤ操作が無効となり、ＤＶＤ再生部２７の動作が禁止される。
【００４８】
図３は、ＤＶＤロックキーが操作された際のプロジェクタ１の動作を説明するフローチャートである。電源オン状態でユーザによりＤＶＤロックキーが操作されると、制御部２０は、図３に示すフローに従って動作する。
【００４９】
図３に示すように、ステップＳ１０１では、制御部２０は、記憶部２１に記憶されているＤＶＤ操作フラグに基づいて、プロジェクタ１がＤＶＤロック状態であるか否かを判断する。そして、ＤＶＤロック状態ではなくロック解除状態である場合には、ステップＳ１０２に移行してＤＶＤロック処理（サブルーチン）を実行した後にフローを終了する。一方、ＤＶＤロック状態である場合には、ステップＳ１０３に移行してロック解除処理（サブルーチン）を実行した後にフローを終了する。
【００５０】
図４は、ＤＶＤロック処理を説明するフローチャートであり、図５は、ＤＶＤロック処理時に投写画像上に重畳表示されるＯＳＤ画像を示す説明図である。
図４に示すように、ステップＳ２０１では、制御部２０は、ＯＳＤ処理部３５に指示をして、所定のＯＳＤ画像（暗証番号設定ウィンドウＷ１）を重畳して表示させ（図５参照）、ユーザに任意の暗証番号を設定（入力）させる。暗証番号設定ウィンドウＷ１が表示されると、ユーザは、リモコン２３に備わる数字キーを複数回操作して複数桁の数字を入力することにより、任意の暗証番号を入力することができる。そして、暗証番号を入力した後に決定キーを操作すると、暗証番号の入力が完了する。なお、ユーザが１つの数字を入力する度に、暗証番号設定ウィンドウＷ１には「＊（アスタリスク）」が表示されるようになっており、入力した暗証番号が他のユーザに知られてしまうことはない。
【００５１】
ステップＳ２０２では、制御部２０は、決定キーが操作されたか否か、即ち暗証番号の入力が完了したか否かを判断する。そして、決定キーが操作された場合にはステップＳ２０３に移行し、決定キーが操作されていない場合には操作されるまで本ステップを繰り返す。
【００５２】
暗証番号の入力が完了してステップＳ２０３に移行した場合には、制御部２０は、入力された暗証番号を記憶部２１に記憶（保存）する。
【００５３】
そして、ステップＳ２０４では、制御部２０は、記憶部２１に記憶されているＤＶＤ操作フラグをセットすることによって、プロジェクタ１をＤＶＤロック状態に設定し、その後、メインルーチンに復帰する。
【００５４】
図６は、ロック解除処理を説明するフローチャートであり、図７は、ロック解除処理時に投写画像上に重畳表示されるＯＳＤ画像を示す説明図である。
図６に示すように、ステップＳ３０１では、制御部２０は、ＯＳＤ処理部３５に指示をして、所定のＯＳＤ画像（暗証番号入力ウィンドウＷ２）を重畳して表示させ（図７参照）、ＤＶＤロック処理時に設定した暗証番号をユーザに入力させる。暗証番号入力ウィンドウＷ２が表示されると、ユーザは、リモコン２３に備わる数字キーを操作して暗証番号を入力することができる。そして、暗証番号を入力した後に決定キーを操作すると、暗証番号の入力が完了する。この場合にも、ユーザが１つの数字を入力する度に、暗証番号入力ウィンドウＷ２には「＊（アスタリスク）」が表示されるようになっており、入力した暗証番号が他のユーザに知られてしまうことはない。
【００５５】
ステップＳ３０２では、制御部２０は、決定キーが操作されたか否か、即ち暗証番号の入力が完了したか否かを判断する。そして、決定キーが操作された場合にはステップＳ３０３に移行し、決定キーが操作されていない場合には操作されるまで本ステップを繰り返す。
【００５６】
暗証番号の入力が完了してステップＳ３０３に移行した場合には、制御部２０は、入力された暗証番号に基づいてユーザの認証を行う。具体的には、制御部２０は、入力された暗証番号と記憶部２１に保存されている暗証番号とを比較し、両者が一致するか否かを判断する。そして、２つの暗証番号が一致する場合には、認証が成立し、ステップＳ３０４に移行する。一方、２つの暗証番号が一致しない場合には、認証は不成立となり、ＤＶＤロック状態のままメインルーチンに復帰する。なお、図示は省略するが、認証が成立したか否か、即ちＤＶＤロック状態を解除できたか否かをＯＳＤ画像（メッセージ画像）等によって報知することが望ましい。
【００５７】
認証が成立してステップＳ３０４に移行した場合には、制御部２０は、記憶部２１に記憶されているＤＶＤ操作フラグをリセットすることによってＤＶＤロック状態を解除し（ロック解除状態に設定し）、メインルーチンに復帰する。
【００５８】
このように、ロック解除状態においてＤＶＤロックキーが操作されると、ＤＶＤロック処理が実行される。そして、ＤＶＤロック処理において暗証番号が設定されると、プロジェクタ１はＤＶＤロック状態となり、ＤＶＤ操作が無効となる。一方、ＤＶＤロック状態でＤＶＤロックキーが操作されると、ロック解除処理が実行され、暗証番号の入力によるユーザの認証が行われる。そして、認証が成立した場合にのみプロジェクタ１はロック解除状態となり、ＤＶＤ操作が有効となる。
【００５９】
図８は、電源オン状態においてＤＶＤ操作キーが操作された際のプロジェクタ１の動作を説明するフローチャートであり、図９は、ＤＶＤ操作時に投写画像上に重畳表示されるＯＳＤ画像を示す説明図である。電源オン状態において、ユーザによりイジェクトキー、再生キー、停止キー等のＤＶＤ操作キーが操作されると、制御部２０は、図８に示すフローに従って動作する。
【００６０】
図８に示すように、ステップＳ４０１では、制御部２０は、記憶部２１に記憶されているＤＶＤ操作フラグに基づいて、プロジェクタ１がＤＶＤロック状態であるか否かを判断する。そして、ＤＶＤロック状態である場合には、ステップＳ４０２に移行し、ＤＶＤロック状態ではなくロック解除状態である場合には、ステップＳ４０７に移行する。
【００６１】
プロジェクタ１がＤＶＤロック状態であってステップＳ４０２に移行した場合には、制御部２０は、ＯＳＤ処理部３５に指示をして、所定のＯＳＤ画像（処理選択メニューＭ１）を投写画像上に重畳して表示させる（図９参照）。
【００６２】
図９に示すように、処理選択メニューＭ１には、ＤＶＤ操作がロックされていること、即ちプロジェクタ１がＤＶＤロック状態であることを報知するメッセージが表示されており、さらに、このＤＶＤロック状態を解除するか否かを選択するための２つの処理項目（「解除する」及び「解除しない」）が縦に並んで表示されている。２つの処理項目のうちの１つ（図９の例では「解除する」）は、背景色が異なる状態になっており、この処理項目が選択された状態であることを示している。ユーザは、リモコン２３に備わる方向キーを操作することにより、任意の処理項目を選択することができる。ユーザが処理項目を選択した後に決定キーを操作すると、処理項目の選択が完了し、制御部２０は、選択された処理項目に応じた処理を行う。
【００６３】
図８に戻って、ステップＳ４０３では、制御部２０は、決定キーが操作されたか否か、即ち処理項目の選択が確定したか否かを判断する。そして、決定キーが操作された場合にはステップＳ４０４に移行し、決定キーが操作されていない場合には操作されるまで本ステップを繰り返す。
【００６４】
決定キーが操作されてステップＳ４０４に移行すると、制御部２０は、選択された処理項目が上記２つのうちのいずれであるかを判断する。そして、「解除する」が選択された場合にはステップＳ４０５に移行する。一方、「解除しない」が選択された場合には、操作されたＤＶＤ操作キーに対応する動作を行わずに、ＤＶＤロック状態のままフローを終了する。
【００６５】
処理選択メニューＭ１で「解除する」が選択されてステップＳ４０５に移行した場合には、制御部２０は、ロック解除処理（図６参照）を実行し、続くステップＳ４０６では、制御部２０は、ＤＶＤ操作フラグに基づいて、ロック解除処理にてロック解除状態に設定されたか否か、即ち暗証番号による認証が成立してＤＶＤロック状態が解除されたか否かを判断する。そして、ＤＶＤロック状態が解除された場合には、ステップＳ４０７に移行する。一方、ＤＶＤロック状態が解除されていない場合には、操作されたＤＶＤ操作キーに対応する動作を行わずに、ＤＶＤロック状態のままフローを終了する。
【００６６】
ステップＳ４０１又はステップＳ４０６においてプロジェクタ１がロック解除状態であってステップＳ４０７に移行した場合には、制御部２０は、ＤＶＤ再生部２７に指示をして、操作されたＤＶＤ操作キーに対応する動作を実行させ、フローを終了する。これにより、例えば、イジェクトキーが操作された場合には、ディスクスロット３からＤＶＤメディアＭが排出され、再生キーが操作された場合には、ＤＶＤの再生が開始する。
【００６７】
このように、ロック解除状態でＤＶＤ操作キーが操作された場合には、制御部２０は、操作された操作キーに対応する動作をＤＶＤ再生部２７に実行させる一方で、ＤＶＤロック状態でＤＶＤ操作キーが操作された場合には、暗証番号によるユーザの認証が成立しない限り、操作された操作キーに対応する動作を実行させない。つまり、制御部２０は、ＤＶＤロック状態において暗証番号によるユーザの認証が不成立の場合には、ＤＶＤ操作（イジェクトキー、再生キー、停止キー、一時停止キー、早送りキー、巻き戻しキー、スキップキー等の入力操作）に基づくＤＶＤ再生部２７のすべての動作を禁止し、ユーザの認証が成立した場合には、ＤＶＤ再生部２７のすべての動作を許可する。
【００６８】
また、本実施形態のプロジェクタ１は、オフ操作時及びオン操作時において、プロジェクタ１がＤＶＤロック状態であるか否かと、ＤＶＤメディアＭが挿入されているか否かとに応じて異なる動作を行うようになっている。
【００６９】
図１０は、オフ操作時のプロジェクタ１の動作を説明するフローチャートであり、図１１は、オフ操作時に投写画像上に重畳表示されるＯＳＤ画像を示す説明図である。電源オン状態で電源キーが操作されると、制御部２０は、図１０に示すフローに従って動作する。なお、図示は省略するが、本実施形態のプロジェクタ１は、ＤＶＤの再生中にはオフ操作を行えない（オフ操作が無効となる）ようになっている。
【００７０】
図１０に示すように、ステップＳ５０１では、制御部２０は、記憶部２１に記憶されているＤＶＤ操作フラグに基づいて、プロジェクタ１がＤＶＤロック状態であるか否かを判断する。そして、ＤＶＤロック状態ではなくロック解除状態である場合にはステップＳ５０２に移行し、ＤＶＤロック状態である場合にはステップＳ５０８に移行する。
【００７１】
プロジェクタ１がロック解除状態であってステップＳ５０２に移行した場合には、制御部２０は、装着センサ３０の検出結果に基づいて、ターンテーブルにＤＶＤメディアＭが装着されているか否か、即ちディスクスロット３にＤＶＤメディアＭが挿入されたままであるか否かを判断する。そして、ＤＶＤメディアＭが挿入されたままである場合にはステップＳ５０３に移行し、ＤＶＤメディアＭが挿入されていない場合にはステップＳ５０８に移行する。
【００７２】
ＤＶＤメディアＭが挿入されていてステップＳ５０３に移行した場合には、制御部２０は、ＯＳＤ処理部３５に指示をして、所定のＯＳＤ画像（処理選択メニューＭ２）を投写画像上に重畳して表示させる（図１１参照）。
【００７３】
図１１に示すように、処理選択メニューＭ２には、ＤＶＤメディアＭが挿入されたままであることを報知するメッセージが表示されており、さらに、この後に実行すべき処理項目として、「ＤＶＤを取り出す」、「ＤＶＤ操作をロックする」、「そのままオフする」の３つの処理項目が縦に並んで表示されている。３つの処理項目のうちの１つ（この例では「ＤＶＤを取り出す」）は、背景色が異なる状態になっており、この処理項目が選択された状態であることを示している。ユーザは、リモコン２３に備わる方向キーを操作することにより、任意の処理項目を選択することができる。ユーザが処理項目を選択した後に決定キーを操作すると、処理項目の選択が確定し、制御部２０は、選択された処理項目に応じた処理を行う。
【００７４】
図１０に戻って、ステップＳ５０４では、制御部２０は、決定キーが操作されたか否か、即ち処理項目の選択が確定したか否かを判断する。そして、決定キーが操作された場合にはステップＳ５０５に移行し、決定キーが操作されていない場合には操作されるまで本ステップを繰り返す。
【００７５】
決定キーが操作されてステップＳ５０５に移行すると、制御部２０は、選択された処理項目が上記３つのうちのいずれであるかを判断する。そして、「ＤＶＤを取り出す」が選択された場合にはステップＳ５０６に移行し、「ＤＶＤ操作をロックする」が選択された場合にはステップＳ５０７に移行する。また、「そのままオフする」が選択された場合にはステップＳ５０８に移行する。
【００７６】
処理選択メニューＭ２で「ＤＶＤを取り出す」が選択されてステップＳ５０６に移行した場合には、制御部２０は、ＤＶＤ再生部２７に指示をして、挿入されているＤＶＤメディアＭをメディア搬送部２９に排出させて、ステップＳ５０８に移行する。
【００７７】
一方、処理選択メニューＭ２で「ＤＶＤ操作をロックする」が選択されてステップＳ５０７に移行した場合には、制御部２０は、ＤＶＤロック処理（図４参照）を実行した後に、ステップＳ５０８に移行する。
【００７８】
ステップＳ５０８では、制御部２０は、光源制御部３７に指示をして光源１１を消灯させる。そして、ステップＳ５０９では、制御部２０は、電源回路３６に指示をして、各部への動作電力の供給を停止させ、プロジェクタ１をスタンバイ状態に移行させてフローを終了する。
【００７９】
このように、オフ操作時にプロジェクタ１がＤＶＤロック状態である場合や、ディスクスロット３にＤＶＤメディアＭが挿入されていない場合には、プロジェクタ１は、そのまま光源１１を消灯させてスタンバイ状態に移行する。一方、プロジェクタ１がロック解除状態で、且つディスクスロットに３にＤＶＤメディアＭが挿入されている場合には、プロジェクタ１は、ＤＶＤメディアＭを排出するか、ＤＶＤメディアＭを挿入したままＤＶＤロック状態に設定するか、ＤＶＤロック状態に設定することなくＤＶＤメディアＭを挿入したままにしておくかをユーザに選択させ、選択結果に応じた処理を実行した後に光源１１を消灯させてスタンバイ状態に移行する。
【００８０】
図１２は、オン操作時のプロジェクタ１の動作を説明するフローチャートである。スタンバイ状態においてユーザにより電源キーが操作されると、制御部２０は、図１２に示すフローに従って動作する。
【００８１】
図１２に示すように、ステップＳ６０１では、制御部２０は、電源回路３６に指示をして、各部への動作電力の供給を開始させ、プロジェクタ１を電源オン状態に移行させる。そして、ステップＳ６０２では、制御部２０は、光源制御部３７に指示をして光源１１を点灯させる。
【００８２】
ステップＳ６０３では、制御部２０は、装着センサ３０の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されていない場合には、そのままフローを終了し、ＤＶＤメディアＭが挿入されている場合には、ステップＳ６０４に移行する。
【００８３】
ディスクスロット３にＤＶＤメディアＭが挿入されていてステップＳ６０４に移行した場合には、制御部２０は、記憶部２１に記憶されているＤＶＤ操作フラグに基づいて、プロジェクタ１がＤＶＤロック状態であるか否かを判断する。そして、ＤＶＤロック状態である場合にはステップＳ６０５に移行し、ＤＶＤロック状態ではなくロック解除状態である場合にはステップＳ６１０に移行する。
【００８４】
プロジェクタ１がＤＶＤロック状態であってステップＳ６０５に移行した場合には、制御部２０は、ＯＳＤ処理部３５に指示をして、処理選択メニューＭ１を投写画像上に重畳表示させる（図９参照）。そして、ＤＶＤロック状態を解除するか否かを決定するために、２つの処理項目（「解除する」及び「解除しない」）のいずれかを選択させる。
【００８５】
ステップＳ６０６では、制御部２０は、決定キーが操作されたか否か、即ち処理項目の選択が確定したか否かを判断する。そして、決定キーが操作された場合にはステップＳ６０７に移行し、決定キーが操作されていない場合には操作されるまで本ステップを繰り返す。
【００８６】
決定キーが操作されてステップＳ６０７に移行すると、制御部２０は、選択された処理項目が上記２つのうちのいずれであるかを判断する。そして、「解除する」が選択された場合にはステップＳ６０８に移行し、「解除しない」が選択された場合には、ＤＶＤロック状態のままフローを終了する。
【００８７】
処理選択メニューＭ１で「解除する」が選択されてステップＳ６０８に移行した場合には、制御部２０は、ロック解除処理（図６参照）を実行し、続くステップＳ６０９では、制御部２０は、ＤＶＤ操作フラグに基づいて、ロック解除処理にてロック解除状態に設定されたか否か、即ち認証が成立してＤＶＤロック状態が解除されたか否かを判断する。そして、ＤＶＤロック状態が解除された場合には、ステップＳ６１０に移行する。一方、ＤＶＤロック状態が解除されていない場合には、ＤＶＤロック状態のままフローを終了する。
【００８８】
ステップＳ６１０では、制御部２０は、ＤＶＤ再生部２７に指示をして、ＤＶＤの再生を開始させるとともに、入力選択部３３にＤＶＤ画像情報を選択させ、フローを終了する。この結果、画像投写部１０からＤＶＤ画像が投写される。
【００８９】
このように、オン操作時にディスクスロット３にＤＶＤメディアＭが挿入されている場合には、ステップＳ６０４又はステップＳ６０９にて、プロジェクタ１がロック解除状態である場合にのみ、ＤＶＤの再生が開始するようになっており、ＤＶＤロック状態のままでＤＶＤの再生が開始することはない。
【００９０】
また、本実施形態のプロジェクタ１は、スタンバイ状態においても、イジェクトキーの操作によってＤＶＤメディアＭを排出させることが可能になっている。ただし、プロジェクタ１がＤＶＤロック状態の場合には、この操作は無視される。
【００９１】
図１３は、スタンバイ状態においてイジェクトキーが操作された際のプロジェクタ１の動作を説明するフローチャートである。スタンバイ状態においてユーザによりイジェクトキーが操作されると、制御部２０は、図１３に示すフローに従って動作する。
【００９２】
図１３に示すように、ステップＳ７０１では、制御部２０は、装着センサ３０の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されていない場合には、そのままフローを終了し、ＤＶＤメディアＭが挿入されている場合には、ステップＳ７０２に移行する。
【００９３】
ディスクスロット３にＤＶＤメディアＭが挿入されていてステップＳ７０２に移行した場合には、制御部２０は、記憶部２１に記憶されているＤＶＤ操作フラグに基づいて、プロジェクタ１がＤＶＤロック状態であるか否かを判断する。そして、ＤＶＤロック状態ではなくロック解除状態である場合にはステップＳ７０３に移行し、ＤＶＤロック状態である場合にはフローを終了する。
【００９４】
プロジェクタ１がロック解除状態であってステップＳ７０３に移行した場合には、制御部２０は、ＤＶＤ再生部２７に指示をして、挿入されているＤＶＤメディアＭをメディア搬送部２９に排出させてフローを終了する。
【００９５】
このように、ＤＶＤロック状態に設定されていると、スタンバイ状態においてもＤＶＤメディアＭを取り出すことができなくなる。
【００９６】
以上説明したように、本実施形態のプロジェクタ１によれば、以下の効果を得ることができる。
【００９７】
（１）本実施形態のプロジェクタ１によれば、ＤＶＤロック状態において、制御部２０は、暗証番号による認証が成立しない限り、ＤＶＤ操作に基づくＤＶＤ再生部２７の動作を禁止するため、ＤＶＤメディアＭ、及びＤＶＤメディアＭに記録されている画像情報が他のユーザに取り扱われてしまうことを抑制することが可能となる。具体的には、制御部２０は、ＤＶＤロック状態において、イジェクトキーの操作に基づくＤＶＤメディアＭの排出を禁止しているため、他のユーザによって記録媒体が取り出されてしまう事態を抑制することが可能となる。また、制御部２０は、ＤＶＤロック状態において、再生キーの操作に基づくＤＶＤの再生を禁止しているため、ＤＶＤ画像が他のユーザに見られてしまう事態を抑制することが可能となる。さらに、制御部２０は、ＤＶＤロック状態において、上記以外のＤＶＤ操作（例えば、停止キー、一時停止キー、早送りキー、巻き戻しキー、スキップキーの操作等）に基づく動作も禁止しているため、店頭や展示会におけるデモンストレーション等のように、ＤＶＤを再生し続けている場合に、他のユーザ（客等）によって再生を停止させられたり、再生状態を変更されたりする事態をも抑制することが可能となる。
【００９８】
（２）本実施形態のプロジェクタ１によれば、ＤＶＤロック状態であっても、外部入力画像を表示（投写）するための動作については禁止（制限）をしていない。つまり、外部入力画像の表示については、すべてのユーザに許可している。このため、暗証番号を知っているユーザでない限りプロジェクタ１が利用できなくなることはなく、多くのユーザがプロジェクタ１を利用することができるため、利便性が向上する。
【００９９】
（３）本実施形態のプロジェクタ１によれば、ロック解除状態では、オン操作（スタンバイ状態における電源キーの操作）時にディスクスロット３にＤＶＤメディアＭが挿入されていると、再生キーが操作されなくともＤＶＤの再生を開始するようにしているが、ＤＶＤロック状態では、オン操作時にＤＶＤの再生が開始しないようになっている。このため、この場合にも、他のユーザにＤＶＤ画像が見られてしまう事態が抑制される。
【０１００】
（４）本実施形態のプロジェクタ１によれば、ロック解除状態において、ディスクスロット３にＤＶＤメディアＭが挿入されたままオフ操作がなされると、処理選択メニューＭ２を表示して、ＤＶＤメディアＭが挿入されている旨を報知するとともに、その後の処理（ＤＶＤメディアＭを排出するか、ＤＶＤロック状態とするか）を選択できるようにしているため、ロック解除状態のままディスクスロット３内にＤＶＤメディアＭを放置してしまう事態を抑制することが可能となる。
【０１０１】
なお、本実施形態では、ロック解除処理（図６参照）において、ステップＳ３０３を実行して、入力された暗証番号と記憶部２１に保存されている暗証番号とが一致するか否かを判断する際の制御部２０が認証部に相当する。また、メディア搬送部２９が記録媒体排出部に相当し、入力端子２５が画像情報入力部に相当する。
【０１０２】
（変形例）
また、上記実施形態は、以下のように変更してもよい。
【０１０３】
上記実施形態では、ＤＶＤメディアＭに記録されている情報の読み取りが可能なＤＶＤ再生部２７を備えた構成を示しているが、ＤＶＤ以外の光ディスク、各種半導体メモリ、磁気ディスク、磁気テープ等、他の記録媒体に記録されている情報の読み取りが可能な構成であってもよい。この場合でも、他のユーザに記録媒体が取り出されてしまうことがないよう、所定の入力操作がなされた場合にのみ記録媒体を排出する態様とするか、或いは、所定の入力操作がなされた場合にのみ記録媒体が離脱可能になる態様とすることが望ましい。
【０１０４】
上記実施形態では、ＤＶＤロック状態において暗証番号によるユーザの認証が不成立の場合には、ＤＶＤ再生部２７のすべての動作を禁止するようにしているが、ＤＶＤ再生部２７の一部の動作（例えば、ＤＶＤメディアＭの排出動作、或いはＤＶＤの再生動作等）のみを禁止する態様、即ちＤＶＤ再生部２７の動作を制限する態様にしてもよい。
【０１０５】
上記実施形態では、暗証番号によってユーザの認証を行う態様を示しているが、英字や記号等を含んだパスワードによって認証を行うようにしてもよい。或いは、本体操作部２２やリモコン２３に備わる各種機能キーを所定の順序（シーケンス）で操作することを認証の要件にしてもよい。また、指紋認証をはじめとする生体認証等、様々な認証方法を用いることも可能である。
【０１０６】
上記実施形態では、ＤＶＤロック処理を実行するたびに暗証番号を設定するようにしているが、暗証番号を固定にすれば、都度設定する必要はなくなる。
【０１０７】
上記実施形態では、ＤＶＤ再生部２７にＤＶＤメディアＭを装着する方式として、ディスクスロット３にＤＶＤメディアＭを直接挿入するスロットイン方式を採用しているが、ＤＶＤ再生部２７は、スロットイン方式に限定されず、例えば、ＤＶＤメディアＭをトレイに載置して搬送するトレイローディング方式を採用してもよい。また、ターンテーブルを覆う開閉蓋を開いてユーザが直接ターンテーブルにＤＶＤメディアＭを装着するトップローディング方式を採用することも可能である。この場合には、ＤＶＤメディアＭの排出を禁止する代わりに、開閉蓋の開放を禁止するようにすればよい。
【０１０８】
上記実施形態において、画像出力装置Ｃからプロジェクタ１に対する画像情報の出力は、ケーブルを介して（有線で）行われる態様に限定されず、無線通信を利用した態様であってもよい。この場合には、画像情報を受信するための受信手段が画像情報入力部に相当する。
【０１０９】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１１０】
上記実施形態では、光源１１は、放電型の光源ランプ１１ａによって構成されているが、ＬＥＤ（Light Emitting Diode）光源等の固体光源や、その他の光源を用いることもできる。
【０１１１】
上記実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【０１１２】
【図１】プロジェクタの斜視図であり、（ａ）は、前方より見た図、（ｂ）は、後方より見た図。
【図２】プロジェクタの回路構成を示すブロック図。
【図３】ＤＶＤロックキーが操作された際のプロジェクタの動作を説明するフローチャート。
【図４】ＤＶＤロック処理を説明するフローチャート。
【図５】ＤＶＤロック処理時に投写画像上に重畳表示されるＯＳＤ画像を示す説明図。
【図６】ロック解除処理を説明するフローチャート。
【図７】ロック解除処理時に投写画像上に重畳表示されるＯＳＤ画像を示す説明図。
【図８】電源オン状態においてＤＶＤ操作キーが操作された際のプロジェクタの動作を説明するフローチャート。
【図９】ＤＶＤ操作時に投写画像上に重畳表示されるＯＳＤ画像を示す説明図。
【図１０】オフ操作時のプロジェクタの動作を説明するフローチャート。
【図１１】オフ操作時に投写画像上に重畳表示されるＯＳＤ画像を示す説明図。
【図１２】オン操作時のプロジェクタの動作を説明するフローチャート。
【図１３】スタンバイ状態においてイジェクトキーが操作された際のプロジェクタの動作を説明するフローチャート。
【符号の説明】
【０１１３】
１…プロジェクタ、２…筐体、３…ディスクスロット、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…本体操作部、２３…リモコン、２４…操作信号受信部、２５…入力端子、２６…画像情報変換部、２７…ＤＶＤ再生部、２８…挿入センサ、２９…メディア搬送部、３０…装着センサ、３１…データ読取部、３２…データ処理部、３３…入力選択部、３４…画像処理部、３５…ＯＳＤ処理部、３６…電源回路、３７…光源制御部、Ｃ…画像出力装置、Ｍ…ＤＶＤメディア、ＳＣ…スクリーン。
【図１】
2010124093.tif 000003
【図２】
2010124093.tif 000004
【図３】
2010124093.tif 000005
【図４】
2010124093.tif 000006
【図５】
2010124093.tif 000007
【図６】
2010124093.tif 000008
【図７】
2010124093.tif 000009
【図８】
2010124093.tif 000010
【図９】
2010124093.tif 000011
【図１０】
2010124093.tif 000012
【図１１】
2010124093.tif 000013
【図１２】
2010124093.tif 000014
【図１３】
2010124093.tif 000015